(57)【特許請求の範囲】
【請求項１】
貯湯タンク(２)と、
上記貯湯タンク(２)内の温水と浴槽(４)内の湯との間で熱交換を行う熱交換部(３)と、
上記熱交換部(３)を介して上記浴槽(４)内の湯を循環させるポンプ(１３)と、
上記浴槽(４)の湯量を検出する湯量センサ(２１)と、
上記浴槽(４)内の湯温を検出する温度センサ(２２)と、
少なくとも上記貯湯タンク(２)からの温水を上記浴槽(４)内に供給する温水供給部(Ｌ１３,Ｌ１４,Ｌ２３,Ｌ２４,２５)と、
上記湯量センサ(２１)により検出された湯量と上記温度センサ(２２)により検出された湯温に基づいて、上記ポンプ(１３)と上記温水供給部(Ｌ１３,Ｌ１４,Ｌ２３,Ｌ２４,２５)を制御して追加注湯運転を行う制御装置(１０)と
を備え、
上記制御装置(１０)は、
上記湯量センサ(２１)により検出された残り湯の湯量と上記追加注湯運転の終了時の目標湯量に基づいて、上記追加注湯運転において上記目標湯量にするための追加注湯量を算出する追加注湯量算出部(１０a)と、
上記湯量センサ(２１)により検出された上記残り湯の湯量と、上記温度センサ(２２)により検出された上記残り湯の湯温と、上記追加注湯量算出部(１０a)により算出された上記追加注湯量と、上記追加注湯運転において上記温水供給部(Ｌ１３,Ｌ１４,Ｌ２３,Ｌ２４,２５)から供給される温水の温度である追加注湯温度と、上記追加注湯運転の終了時の目標湯温に基づいて、追い炊き熱量を算出する追い炊き熱量算出部(１０b)と、
上記追い炊き熱量算出部(１０b)により算出された上記追い炊き熱量に基づいて、上記追加注湯運転前に上記浴槽(４)内の残り湯を温める上記追い炊き運転が必要か否かを判別する追い炊き運転判別部(１０c)と
を有し、
上記追い炊き運転判別部(１０c)が上記追い炊き運転が必要であると判別すると、上記ポンプ(１３)により上記熱交換部(３)を介して上記浴槽(４)内の湯を循環させて、上記熱交換部(３)により上記貯湯タンク(２)内の温水と上記浴槽(４)内の湯との間で熱交換することにより、上記浴槽(４)内の残り湯に対して上記追い炊き熱量算出部(１０b)により算出された上記追い炊き熱量分の追い炊き運転を行った後、上記温水供給部(Ｌ１３,Ｌ１４,Ｌ２３,Ｌ２４,２５)により上記追加注湯温度でかつ上記追加注湯量の温水を上記浴槽(４)内に供給する上記追加注湯運転を行うことを特徴とする貯湯式給湯機。
【請求項２】
請求項１に記載の貯湯式給湯機において、
上記制御装置(１０)は、
上記追い炊き運転判別部(１０c)が上記追い炊き運転が必要ないと判別すると、上記温水供給部(Ｌ１３,Ｌ１４,Ｌ２３,Ｌ２４,２５)によって、上記浴槽(４)内への上記目標湯量の温水の供給が終了したときに上記目標湯温になるように上記追加注湯温度を調整して、調整された上記追加注湯温度でかつ上記追加注湯量の温水を上記浴槽(４)内に供給する上記追加注湯運転を行うことを特徴とする貯湯式給湯機。
【請求項３】
請求項１または２に記載の貯湯式給湯機において、
上記貯湯タンク(２)内の温水を加熱するヒートポンプ方式の加熱部(１)を備えたことを特徴とする貯湯式給湯機。
【請求項４】
請求項１から３までのいずれか１つに記載の貯湯式給湯機において、
上記温水供給部(Ｌ１３,Ｌ１４,Ｌ２３,Ｌ２４,２５)は、上記貯湯タンク(２)から供給される温水と外部から供給される水を混合することにより、上記浴槽(４)内に供給する温水を上記追加注湯温度に調整することを特徴とする貯湯式給湯機。
【発明の詳細な説明】
【技術分野】
【０００１】
この発明は、貯湯式給湯機に関する。
【背景技術】
【０００２】
従来、貯湯式給湯機としては、貯湯タンクの温水と浴槽内の湯との間で熱交換することにより追い炊きをするものがある(例えば、特開２００５−１０６４４０号公報(特許文献１)参照)。
【０００３】
このような貯湯式給湯機において、浴槽の湯が少なくなって湯を追加する追加注湯をする場合、残り湯の湯量と湯温をセンサにより検出して、その残り湯の湯量と湯温に基づいて、貯湯タンクからの温水を用いて追加注湯運転を行った後、浴槽内の湯温が目標温度になるように追い炊き運転を行う。ところが、この追加注湯運転後に追い炊き運転を行う貯湯式給湯機では、追い炊き運転における熱交換部の熱交換効率が悪いため、貯湯タンクの温水の使用量が多く、追い炊き時間が長いという問題がある。
【特許文献１】特開２００５−１０６４４０号公報
【発明の開示】
【発明が解決しようとする課題】
【０００４】
そこで、この発明の課題は、熱交換効率を向上することにより、貯湯タンクの温水の使用量を低減でき、追い炊き時間を短縮できる貯湯式給湯機を提供することにある。
【課題を解決するための手段】
【０００５】
上記課題を解決するため、この発明の貯湯式給湯機は、
貯湯タンクと、
上記貯湯タンク内の温水と浴槽内の湯との間で熱交換を行う熱交換部と、
上記熱交換部を介して上記浴槽内の湯を循環させるポンプと、
上記浴槽の湯量を検出する湯量センサと、
上記浴槽内の湯温を検出する温度センサと、
少なくとも上記貯湯タンクからの温水を上記浴槽内に供給する温水供給部と、
上記湯量センサにより検出された湯量と上記温度センサにより検出された湯温に基づいて、上記ポンプと上記温水供給部を制御して追加注湯運転を行う制御装置と
を備え、
上記制御装置は、
上記湯量センサにより検出された残り湯の湯量と上記追加注湯運転の終了時の目標湯量に基づいて、上記追加注湯運転において上記目標湯量にするための追加注湯量を算出する追加注湯量算出部と、
上記湯量センサにより検出された上記残り湯の湯量と、上記温度センサにより検出された上記残り湯の湯温と、上記追加注湯量算出部により算出された上記追加注湯量と、上記追加注湯運転において上記温水供給部から供給される温水の温度である追加注湯温度と、上記追加注湯運転の終了時の目標湯温に基づいて、追い炊き熱量を算出する追い炊き熱量算出部と、
上記追い炊き熱量算出部により算出された上記追い炊き熱量に基づいて、上記追加注湯運転前に上記浴槽内の残り湯を温める上記追い炊き運転が必要か否かを判別する追い炊き運転判別部と
を有し、
上記追い炊き運転判別部が上記追い炊き運転が必要であると判別すると、上記ポンプにより上記熱交換部を介して上記浴槽内の湯を循環させて、上記熱交換部により上記貯湯タンク内の温水と上記浴槽内の湯との間で熱交換することにより、上記浴槽内の残り湯に対して上記追い炊き熱量算出部により算出された上記追い炊き熱量分の追い炊き運転を行った後、上記温水供給部により上記追加注湯温度でかつ上記追加注湯量の温水を上記浴槽内に供給する上記追加注湯運転を行うことを特徴とする。
【０００６】
上記構成の貯湯式給湯機によれば、上記湯量センサにより検出された残り湯の湯量と、温度センサにより検出された残り湯の湯温に基づいて、制御装置は、浴槽内の残り湯を温める追い炊き運転が必要であるか否かを判別する。そして、上記制御装置が追い炊き運転が必要であると判別すると、ポンプにより熱交換部を介して浴槽内の湯を循環させて、熱交換部により貯湯タンク内の温水と浴槽内の湯との間で熱交換することにより、浴槽内の残り湯に対して追い炊き運転を行う。この追い炊き運転により浴槽内の湯温が低い残り湯と貯湯タンクからの温水との間で上記追い炊き熱量分の熱交換を行うので、熱交換効率が向上する。これによって、貯湯タンクの温水の使用量を低減できると共に、追い炊き時間を短縮できる。
【０００７】
【０００８】
また、上記湯量センサにより検出された残り湯の湯量と、温度センサにより検出された残り湯の湯温と、追加注湯量算出部により算出された追加注湯量(＝目標湯量−残り湯の湯量)と、追加注湯運転において少なくとも貯湯タンクからの温水を浴槽内に供給する温水供給部からの温水の温度である追加注湯温度と、追加注湯運転の終了時の浴槽内の目標湯温に基づいて、追い炊き熱量算出部により追い炊き熱量を算出する。すなわち、追い炊き熱量は、
追い炊き熱量  ＝  目標湯量×目標湯温−残り湯の湯量×残り湯の湯温−追加注湯量×追加注湯温度
により求まる。ここで、温水供給部からの温水の温度である追加注湯温度を調整して、追い炊き熱量がゼロになるようにすることが理想的ではあるが、追加注湯温度の上限を安全上例えば６０℃程度に制限しているため、追加注湯で加える熱量にも限界があり、残り湯の湯量,湯温の条件により追い炊き運転が必要となる。
【０００９】
そして、上記制御装置の追い炊き運転判別部が上記追い炊き熱量に基づいて追い炊き運転が必要であると判別すると、ポンプにより熱交換部を介して浴槽内の湯を循環させて、熱交換部により貯湯タンク内の温水と浴槽内の湯との間で熱交換することにより、浴槽内の残り湯に対して追い炊き熱量算出部により算出された追い炊き熱量分の追い炊き運転を行う。その後、貯湯タンクから供給される温水を用いて、温水供給部により追加注湯温度でかつ追加注湯量の温水を浴槽内に供給する追加注湯運転を行う。これにより、追加注湯運転後の浴槽に目標湯量でかつ目標湯温の湯を正確に張ることができる。
【００１０】
また、一実施形態の貯湯式給湯機では、
上記制御装置は、
上記追い炊き運転判別部が上記追い炊き運転が必要ないと判別すると、上記温水供給部によって、上記浴槽内への上記目標湯量の温水の供給が終了したときに上記目標湯温になるように上記追加注湯温度を調整して、調整された上記追加注湯温度でかつ上記追加注湯量の温水を上記浴槽内に供給する上記追加注湯運転を行う。
【００１１】
上記実施形態によれば、上記制御装置の追い炊き運転判別部が上記追い炊き熱量に基づいて追い炊き運転が必要ないと判別すると、温水供給部によって、浴槽内への上記目標湯量の温水の供給が終了したときに目標湯温になるように追加注湯温度を調整して、調整された追加注湯温度でかつ追加注湯量の温水を浴槽内に供給する追加注湯運転を行う。そうすることによって、浴槽に目標湯量でかつ目標湯温の湯を正確に張ることができる。
【００１２】
また、一実施形態の貯湯式給湯機では、上記貯湯タンク内の温水を加熱するヒートポンプ方式の加熱部を備えた。
【００１３】
上記実施形態によれば、湯温が低い残り湯と貯湯タンクからの温水との間で上記追い炊き熱量分の熱交換を行う追い炊き運転によって、貯湯タンクから熱交換部に供給されて再び貯湯タンクに戻る温水の温度がより低くなり、貯湯タンク内の温水の温度が低いほど、ヒートポンプ方式の加熱部の熱効率が向上する。
【００１４】
また、一実施形態の貯湯式給湯機では、上記温水供給部は、上記貯湯タンクから供給される温水と外部から供給される水を混合することにより、上記浴槽内に供給する温水を上記追加注湯温度に調整する。
【００１５】
上記実施形態によれば、上記温水供給部によって、貯湯タンクから供給される温水と外部から供給される水を混合して、浴槽内に供給する温水を上記追加注湯温度に調整することによって、浴槽に目標湯量でかつ目標湯温の湯を正確に張ることができる。
【発明の効果】
【００１６】
以上より明らかなように、この発明の貯湯式給湯機によれば、熱交換効率を向上することにより、貯湯タンクの温水の使用量を低減でき、追い炊き時間を短縮できる貯湯式給湯機を実現することができる。
【００１７】
また、制御装置の追い炊き運転判別部が追い炊き熱量に基づいて追い炊き運転が必要であると判別すると、ポンプにより熱交換部を介して浴槽内の湯を循環させて、熱交換部により貯湯タンク内の温水と浴槽内の湯との間で熱交換することにより、浴槽内の残り湯に対して追い炊き熱量算出部により算出された追い炊き熱量分の追い炊き運転を行った後、貯湯タンクから供給される温水を用いて、温水供給部により追加注湯温度でかつ追加注湯量の温水を浴槽内に供給する追加注湯運転を行うことによって、追加注湯運転後の浴槽に目標湯量でかつ目標湯温の湯を正確に張ることができる。
【００１８】
また、一実施形態の貯湯式給湯機によれば、制御装置の追い炊き運転判別部が追い炊き運転が必要ないと判別すると、温水供給部によって、浴槽内に目標湯量の温水が供給されたときに目標湯温になるように追加注湯温度を調整して、調整された追加注湯温度でかつ追加注湯量の温水を浴槽内に供給する追加注湯運転を行うことによって、浴槽に目標湯量でかつ目標湯温の湯を正確に張ることができる。
【００１９】
また、一実施形態の貯湯式給湯機によれば、湯温が低い残り湯と貯湯タンクからの温水との間で追い炊き熱量分の熱交換を行う追い炊き運転によって、貯湯タンクから熱交換部に供給されて再び貯湯タンクに戻る温水の温度がより低くなり、貯湯タンク内の温水の温度が低いほど、ヒートポンプ方式の加熱部による熱効率が向上する。
【００２０】
また、一実施形態の貯湯式給湯機によれば、温水供給部によって、貯湯タンクから供給される温水と外部から供給される水を混合して、浴槽内に供給する温水を上記追加注湯温度に調整することによって、浴槽に目標湯量でかつ目標湯温の湯を正確に張ることができる。
【発明を実施するための最良の形態】
【００２１】
以下、この発明の貯湯式給湯機を図示の実施の形態により詳細に説明する。
【００２２】
図１はこの発明の実施の一形態の貯湯式給湯機の構成図を示している。この貯湯式給湯機は、図１に示すように、加熱部の一例としてのヒートポンプユニット１と、上記ヒートポンプユニット１により加熱された温水を貯える貯湯タンク２と、上記貯湯タンク２から供給された温水と浴槽４内の湯との間で熱交換する追い炊き用の熱交換部３と、制御装置１０とを備えている。
【００２３】
上記ヒートポンプユニット１の入力側に配管Ｌ１１の一端を接続し、配管Ｌ１１の他端を貯湯タンク２の下側に接続している。一方、ヒートポンプユニット１の出力側に配管Ｌ１２の一端を接続し、配管Ｌ１２の他端を貯湯タンク２の上側に接続している。上記配管Ｌ１１にポンプ１１を配設し、ポンプ１１により貯湯タンク２内の温水(または水)を配管Ｌ１１,ヒートポンプユニット１,配管Ｌ１２を介して循環させる。
【００２４】
また、貯湯タンク２の下側に給水配管Ｌ１３を接続すると共に、その給水配管Ｌ１３に給水配管Ｌ１４の一端を接続している。この給水配管Ｌ１４の他端を混合弁２５の一方の入力に接続し、混合弁２５の他方の入力を給湯配管Ｌ２３を介して貯湯タンク２の上側に接続している。
【００２５】
また、上記貯湯タンク２の上側と熱交換部３の一次側かつ上側とを配管Ｌ２１を介して接続し、貯湯タンク２の下側と熱交換部３の一次側かつ下側とを配管Ｌ２２を介して接続している。上記配管Ｌ２２にポンプ１２を配設し、ポンプ１２により貯湯タンク２内の温水を配管Ｌ２１,熱交換部３,配管Ｌ２２を介して循環させる。
【００２６】
また、上記熱交換部３の一次側かつ下側と浴槽４の循環口２０とを配管Ｌ３１を介して接続し、熱交換部３の一次側かつ上側と浴槽４の循環口２０とを配管Ｌ３２を介して接続している。上記配管Ｌ３１にポンプ１３を配設し、ポンプ１３により浴槽４内の湯を配管Ｌ３１,熱交換部３,配管Ｌ３２を介して循環させる。上記熱交換部３の二次側を介して浴槽４内の湯が循環することによって、貯湯タンク２内から供給される温水との熱交換により浴槽４内の湯が加熱される。
【００２７】
上記配管Ｌ３２に、浴槽４内の水位を検出する湯量センサの一例としての水位センサ２１と、浴槽４内の湯温を検出するための温度センサ２２を配設している。
【００２８】
また、上記混合弁２５の出口に給湯配管Ｌ２４の一端が接続され、その給湯配管Ｌ２４の他端を配管Ｌ３２に接続している。上記給湯配管Ｌ２４に、給湯湯量を検出するための流量センサ２３と、給湯温度を検出するための温度センサ２４を配設している。上記給水配管Ｌ１３,Ｌ１４と混合弁２５と給湯配管Ｌ２３,Ｌ２４で温水供給部を構成している。上記貯湯タンク２内の温水は、給水配管１３からの給水により押し上げられて、貯湯タンク２内の上部の高温水が給湯配管Ｌ２３から押し出されて給湯される。
【００２９】
図示しないが、上記ヒートポンプユニット１は、圧縮機,凝縮器,膨張手段,蒸発器が環状に接続された冷媒回路を備え、凝縮器で発生する熱を利用してポンプ１１により循環された温水を加熱する。この実施形態では、ヒートポンプユニット１により貯湯タンク２内の上部の高温水の温度を８０℃にしている。
【００３０】
上記制御装置１０は、マイクロコンピュータと入出力回路などからなり、水位センサ２１,温度センサ２２,流量センサ２３,温度センサ２４からの検出信号に基づいて、ヒートポンプユニット１,ポンプ１１,混合弁２５などを制御する。また、上記制御装置１０は、湯量センサである水位センサ２１より検出された水位(残り湯の湯量に相当)と目標湯量に基づいて、追加注湯運転において目標湯量にするための追加注湯量(目標湯量−残り湯の湯量)を算出する追加注湯量算出部１０aと、上記追加注湯量算出部１０aにより算出された追加注湯量と、追加注湯運転において温水供給部から供給される温水の温度である追加注湯温度と、湯量センサにより検出された残り湯の湯量と、温度センサにより検出された残り湯の湯温と、追加注湯運転の終了時の浴槽４内の目標湯温に基づいて、追い炊き熱量を算出する追い炊き熱量算出部１０bと、上記追い炊き熱量算出部１０bにより算出された追い炊き熱量に基づいて、追加注湯運転前に浴槽４内の残り湯を温める追い炊き運転が必要か否かを判別する追い炊き運転判別部１０cとを有している。
【００３１】
図２は上記貯湯式給湯機の制御装置１０の動作を説明するフローチャートを示しており、図２に従って制御装置１０の湯張り処理の動作を以下に説明する。
【００３２】
まず、ステップＳ１で残り湯があると判別すると、ステップＳ２に進む一方、残り湯がないと判別すると、ステップＳ８に進み、通常の湯張り運転を行って処理を終了する。ここで、制御装置１０は、水位センサ２１により検出された浴槽４内の水位に基づいて、浴槽４内の残り湯の有無を判別する。また、通常の湯張り運転は、制御装置１０により混合弁２５を制御して、貯湯タンク２内の温水と給水配管Ｌ１４からの水を混合して目標湯温の温水を目標湯量だけ浴槽４内に給湯する。
【００３３】
次に、ステップＳ２で残り湯の湯量と温度を検出する。ここで、制御装置１０は、水位センサ２１により検出された浴槽４内の水位に基づいて、浴槽４内の湯量を推定する。すなわち、浴槽４内は水位に応じて水平断面形状が異なるので、予め水位に応じた湯量を測定(または計算)し、その測定データ(または計算データ)を用いて浴槽４内の湯量を推定するのである。また、浴槽４内の残り湯の温度は、ポンプ１３を所定時間運転して浴槽４内の残り湯を配管Ｌ３２,熱交換部３,配管Ｌ３を介して循環させて、温度センサ２２により検出する。
【００３４】
次に、ステップＳ３に進み、追加注湯量と追加注湯温度を算出する。ここで、追加注湯量は、ステップＳ２で検出された残り湯の湯量と目標湯量に基づいて、追加注湯量算出部１０aにより目標湯量にするための追加注湯量を算出する。また、追加注湯温度は、後の追加注湯運転後に浴槽４内の湯温が目標湯温になるように設定するが、安全上、上限温度を６０℃としている。
【００３５】
次に、ステップＳ４に進み、ステップＳ３において追加注湯量算出部１０aにより算出された追加注湯量および追加注湯温度と、ステップＳ２で検出された残り湯の湯量および湯温と、追加注湯運転の終了時の浴槽４内の目標湯温に基づいて、追い炊き熱量算出部１０bにより追い炊き熱量を算出する。
【００３６】
例えば、目標湯量を２００Ｌ(＝２００×１０−３ｍ３)とし、目標湯温を４０℃とすると共に、現在湯量を１００Ｌ(＝１００×１０−３ｍ３)とし、現在湯温を１０℃とし、追加注湯温度を６０℃としたとき、不足熱量は、
不足熱量  ＝  目標湯量×目標湯温−現在湯量×現在湯温
＝  ２００×４０−１００×１０
＝  ７０００[ｋｃａｌ]
により求まる。そして、追い炊き熱量は、
追い炊き熱量  ＝  不足熱量−追加注湯量×追加注湯温度
＝  ７０００−１００×６０
＝  １０００[ｋｃａｌ]
より、１０００[ｋｃａｌ]となる。
【００３７】
次に、ステップＳ５に進み、追い炊き運転が必要と判別すると、ステップＳ６に進む。ここで、ステップＳ４で算出された追い炊き熱量に基づいて、追い炊き運転判別部１０cにより追加注湯運転前に浴槽４内の残り湯を温める追い炊き運転が必要か否かを判別する。
【００３８】
そして、ステップＳ６では、追い炊き運転を行い、ステップＳ７に進んで追加注湯運転を行った後、この処理を終了する。
【００３９】
ここで、追い炊き運転は、ポンプ１３により熱交換部３を介して浴槽４内の湯を循環させて、熱交換部３により貯湯タンク２内の温水と浴槽４内の湯との間で熱交換することにより、浴槽４内の残り湯に対してステップＳ４で追い炊き熱量算出部１０bにより算出された追い炊き熱量分の追い炊きを行う。
【００４０】
また、追加注湯運転は、制御装置１０により混合弁２５を制御して、貯湯タンク２内の温水と給水配管Ｌ１４からの水を混合して追加注湯温度の温水を生成し、生成した追加注湯温度の温水を給湯配管２４,配管Ｌ３２を介して浴槽４内に供給する。このとき、流量センサ２３により検出された流量に基づいて、混合された温水を追加注湯量だけ浴槽４内に供給する。
【００４１】
一方、ステップＳ５で追い炊き運転が必要ないと判別すると、ステップＳ６をスキップしてステップＳ８に進み、追加注湯運転を行った後、この処理を終了する。
【００４２】
図３は浴槽４内の残り湯の温度に応じた熱交換部３の一次側出口温水温度と加熱能力を示しており、図３において、横軸は風呂温度(浴槽４側から流入する一次側入口温水温度)[℃]を表し、縦軸は一次側出口温水温度(貯湯タンク２側に戻る温水温度)[℃]と加熱能力[ｋＷ]を表し、黒丸印は一次側出口温水温度を表し、黒三角印は加熱能力を表している。ここで、熱交換部３の一次側(貯湯タンク２側)循環流量を４Ｌ／ｍｉｎ(＝４×１０−３ｍ３／ｍｉｎ)とし、その温水温度を８０℃とし、熱交換部３の二次側(浴槽４側)循環流量を８Ｌ／ｍｉｎ(＝８×１０−３ｍ３／ｍｉｎ)としている。
【００４３】
図３に示すように、二次側入口温度(残り湯の温度)が１０℃のとき、８０℃の一次側(貯湯タンク２側)温水との熱交換により一次側出口温水温度(貯湯タンク２側に戻る温水温度)は約３２.５℃となり、二次側入口温度が２０℃のとき、８０℃の一次側温水との熱交換により一次側出口温水温度は約３８℃となる。また、二次側入口温度が３０℃のとき、８０℃の一次側温水との熱交換により一次側出口温水温度は約４３℃となり、二次側入口温度が４０℃のとき、８０℃の一次側温水との熱交換により一次側出口温水温度は約５０℃となる。また、二次側入口温度(残り湯の温度)が低いほど、熱交換部３の加熱能力が高く、二次側入口温度が高いほど、熱交換部３の加熱能力が低くなることが分かる。
【００４４】
例えば、目標湯量を２００Ｌ(＝２００×１０−３ｍ３)とし、目標湯温を４０℃とすると共に、現在湯量を１００Ｌ(＝１００×１０−３ｍ３)とし、現在湯温を１０℃とし、追加注湯温度を６０℃としたとき、不足熱量は、追い炊き熱量１０００[ｋｃａｌ]分の追い炊きをすればよい。
【００４５】
現在湯温が１０℃の現在湯量１００Ｌ(＝１００×１０−３ｍ３)を２０℃になるようにするときは、図３に示す残り湯の温度が１０℃〜２０℃において加熱能力が約１４.２ｋＷ〜約１２.５ｋＷの範囲で追い炊き運転が行われる。
【００４６】
これに対して従来の運転方法では、現在湯温が１０℃の現在湯量１００Ｌ(＝１００×１０−３ｍ３)に６０℃の追加湯量１００Ｌ(＝１００×１０−３ｍ３)の温水が給湯されると、不足熱量は、
不足熱量  ＝  目標湯量×目標湯温−現在湯量×現在湯温−追加注湯量×追加注湯温度
＝  ２００×４０−１００×１０−１００×６０
＝  １０００[ｋｃａｌ]
より、１０００[ｋｃａｌ]となる。このときの湯温は３５℃である。そうすると、現在湯温が３５℃の現在湯量２００Ｌ(＝２００×１０−３ｍ３)を４０℃になるようにするときは、図３に示す残り湯の温度が３５℃〜４０℃において加熱能力が約９.６ｋＷ〜約８.６ｋＷの範囲で追い炊き運転が行われ、熱交換効率が悪くなる。
【００４７】
このように、上記構成の貯湯式給湯機によれば、追加注湯運転前に、追い炊き運転により浴槽４内の残り湯に対して追い炊き運転することにより、浴槽４内の残り湯と貯湯タンク２から供給された温水との間で熱交換する熱交換部３において、湯温が低い残り湯と貯湯タンク２内の温水との温度差が大きいので、熱交換効率が向上する。これにより、貯湯タンク２の温水の使用量を低減できると共に、追い炊き時間を短縮することができる。
【００４８】
また、上記制御装置１０の追い炊き運転判別部１０cが上記追い炊き熱量に基づいて追い炊き運転が必要であると判別すると、浴槽４内の残り湯に対して追い炊き熱量算出部１０bにより算出された追い炊き熱量分の追い炊き運転を行った後、温水供給部により追加注湯温度でかつ追加注湯量の温水を浴槽４内に供給する追加注湯運転を行うので、追加注湯運転後の浴槽４に目標湯量でかつ目標湯温の湯を正確に張ることができる。
【００４９】
また、上記制御装置１０の追い炊き運転判別部１０cが追い炊き運転が必要ないと判別すると、温水供給部によって、浴槽４内に目標湯量の温水が供給されたときに目標湯温になるように追加注湯温度を調整して、調整された追加注湯温度でかつ追加注湯量の温水を浴槽４内に供給する追加注湯運転を行うことによって、浴槽４に目標湯量でかつ目標湯温の湯を正確に張ることができる。
【００５０】
また、湯温が低い残り湯と貯湯タンク２からの温水との間で上記追い炊き熱量分の熱交換を行う追い炊き運転によって、貯湯タンク２から熱交換部３に供給された後に再び貯湯タンク２に戻る温水の温度がより低くなり、貯湯タンク２内の温水の温度が低いほど、ヒートポンプユニット１の熱効率が向上する。
【００５１】
また、上記温水供給部によって、貯湯タンク２から供給される温水と外部から供給される水を混合して、浴槽４内に供給する温水を追加注湯温度に調整することによって、浴槽４に目標湯量でかつ目標湯温の湯を正確に張ることができる。
【００５２】
上記実施の形態では、加熱部としてのヒートポンプユニット１を用いた貯湯式給湯機について説明したが、加熱部はこれに限らず、電気ヒータやボイラなどの他の加熱部を用いたものでもよい。
【００５３】
また、上記実施の形態では、水圧を検出する水位センサ２１を湯量センサとして用いたが、湯量センサはこれに限らず、浴槽内の湯量を検出する他の方式の湯量センサでもよい。
【００５４】
また、上記実施の形態では、給水配管Ｌ１３,Ｌ１４と混合弁２５と給湯配管Ｌ２３,Ｌ２４で構成された温水供給部を用いたが、温水供給部はこれに限らず、少なくとも貯湯タンクからの温水を浴槽内に供給する他の供給手段であればよい。
【図面の簡単な説明】
【００５５】
【図１】図１はこの発明の実施の一形態の貯湯式給湯機の構成図である。
【図２】図２は上記貯湯式給湯機の制御装置の動作を説明するフローチャートである。
【図３】図３は浴槽内の残り湯の温度に応じた熱交換部の一次側出口温水温度と加熱能力を示す図である。
【符号の説明】
【００５６】
１…ヒートポンプユニット
２…貯湯タンク
３…熱交換部
４…浴槽
１０…制御装置
１０a…追加注湯量算出部
１０b…追い炊き熱量算出部
１０c…追い炊き運転判別部
１１〜１３…ポンプ
２０…循環口
２１…水位センサ
２２…温度センサ
２３…流量センサ
２４…温度センサ
【図１】
0004656106.tif 000002
【図２】
0004656106.tif 000003
【図３】
0004656106.tif 000004